【手続補正書】
【提出日】平成17年12月8日(2005.12.8)
【手続補正１】
【補正対象書類名】明細書
【補正対象項目名】特許請求の範囲
【補正方法】変更
【補正の内容】
【特許請求の範囲】
【請求項１】  外部のサーバからダウンロードした情報に基づく画像を表示可能なブラウジング手段と、
前記ブラウジング手段が前記サーバからダウンロードした情報を用いてデータを入力する入力手段と、
前記サーバとインターネットプロトコルを用いて通信するための通信手段と、
ファクシミリプロトコルを用いた通信が可能なファクシミリ通信手段と、
前記入力手段によって入力されたデータを、前記通信手段を用いて前記サーバへ送信するか、前記ブラウジング手段により表示された画像と前記入力手段で入力されたデータとを前記ファクシミリ通信手段を用いて前記サーバとは異なる他の相手装置へ送信するかを選択的に実行するよう制御する送信制御手段と
を備えることを特徴とする通信装置。
【請求項２】  前記ファクシミリ通信手段は、前記ブラウジング手段によって表示された画像をイメージデータとして送信することを特徴とする、請求項１に記載の通信装置。
【請求項３】  前記入力手段から入力されたデータがテキストデータである場合、前記ファクシミリ通信手段は前記テキストデータをバイナリデータとして送信し、前記入力手段から入力されたデータが手書き入力に基づくデータである場合、前記ファクシミリ通信手段は前記手書き入力に基づくデータをイメージデータとして送信することを特徴とする、請求項１または２のいずれかに記載の通信装置。
【請求項４】  前記ファクシミリ通信手段は、前記ブラウジング手段によって表示された画像と前記入力手段から入力された手書き入力に基づくデータとを合成したイメージデータを送信することを特徴とする、請求項３に記載の通信装置。
【請求項５】  前記サーバからダウンロードした情報より抽出された特定の情報を相手装置との接続情報として使用することを特徴とする請求項１乃至請求項４のいずれか１項に記載の通信装置。
【請求項６】  前記ファクシミリ通信手段は、ＩＴＵ−Ｔ勧告Ｔ．４，Ｔ．３０に従って相手装置とファクシミリ通信することを特徴とする請求項１乃至請求項５のいずれか１項に記載の通信装置。
【請求項７】  外部のサーバからダウンロードした情報に基づく画像を表示するブラウジング工程と、
前記ブラウジング工程で前記サーバからダウンロードした情報を用いてデータを入力する入力工程と、
前記入力工程で入力したデータを、インターネットプロトコルを用いて前記サーバへ送信するか、前記ブラウジング工程で表示した画像と前記入力工程で入力したデータとをファクシミリプロトコルを用いて前記サーバとは異なる他の相手装置へ送信するかを選択的に実行するよう制御する制御工程と
を備えることを特徴とする通信方法。
【請求項８】  請求項７に記載の通信方法をコンピュータに実行させることを特徴とするコンピュータプログラム。
【請求項９】  請求項８のコンピュータプログラムを記憶したコンピュータ可読記録媒体。
【手続補正２】
【補正対象書類名】明細書
【補正対象項目名】００２２
【補正方法】変更
【補正の内容】
【００２２】
１１２はＴＣＰ／ＩＰプロトコル処理部であり、ＩＰ、ＴＣＰ、ＡＲＰ、ＩＣＭＰ、ＨＴＴＰなどのＴＣＰ／ＩＰプロトコル群を実装しインターネット３００上のウエブサーバとの通信制御を行う。１１３はＴ．３０プロトコル処理部でありＰＳＴＮ２００を介して他のファクシミリ装置、例えば他装置４００とファクシミリ交信するための制御を行う。
【手続補正３】
【補正対象書類名】明細書
【補正対象項目名】００２５
【補正方法】変更
【補正の内容】
【００２５】
また、２００は一般公衆回線網（ＰＳＴＮ）、３００はインターネット、４００はＰＳＴＮ２００とインターネット３００とを介してファクシミリ通信又はインターネット通信が可能な他装置、５００はインターネットに接続されている相手装置である。
【手続補正４】
【補正対象書類名】明細書
【補正対象項目名】００２７
【補正方法】変更
【補正の内容】
【００２７】
本実施の形態例ファクシミリ装置は、通常ステップＳ１０２に示すように、ＷＷＷブラウジング処理部１１４のＵＲＬ入力処理部１１５において、ＵＲＬ(Uniform Resource Locator)の入力があるか否かを監視するアイドル状態となっている。
【手続補正５】
【補正対象書類名】明細書
【補正対象項目名】００２８
【補正方法】変更
【補正の内容】
【００２８】
このアイドル時にＷＷＷブラウジング処理部１１４のＵＲＬ入力処理部１１５にＵＲＬの入力があるとステップＳ１０２よりステップＳ１０３に進み、ＨＴＭＬデータダウンロード部１１６により、前記ＵＲＬで指定されたＷＷＷサーバに対し指定されたＨＴＭＬソースデータの送信を要求する。
【手続補正６】
【補正対象書類名】明細書
【補正対象項目名】００２９
【補正方法】変更
【補正の内容】
【００２９】
具体的には、ＵＲＬ中のドメイン名及びホスト名にもとづきＤＮＳ(Domain Name System)サーバからＩＰアドレスを取得しそのＩＰアドレスに対しＨＴＴＰ(Hyper Text Transfer Protocol)のＧＥＴメソッドを発行することにより転送要求が行われる。
【手続補正７】
【補正対象書類名】明細書
【補正対象項目名】００３５
【補正方法】変更
【補正の内容】
【００３５】
＜FORM METHOD="GET"ACTION="/cgi-bin/tuuhan.cgi"＞
【手続補正８】
【補正対象書類名】明細書
【補正対象項目名】００３６
【補正方法】変更
【補正の内容】
【００３６】
で示される部分は、＜INPUT TYPE="text"....＞で示されるそれぞれの部分に対応するテキストボックスに入力された内容をサーバの処理プログラム（ＣＧＩスクリプトなど）に送ることを示している。この処理は、通常はＷＷＷブラウジング処理部１１４に対して、上記のＨＴＴＰ(Hyper Text Transfer Protocol)のＧＥＴメソッドを用いることによりなされる。
【手続補正９】
【補正対象書類名】明細書
【補正対象項目名】００４０
【補正方法】変更
【補正の内容】
【００４０】
http://www.tuuhan.co.jp/cgi-bin/tuuhan.cgi/?名前_1＝山田＋名前_2＝太郎＋住所＝東京＋電話＝0301234＋商品１＝パソコン＋台数＝１＋価格＝200000
【手続補正１０】
【補正対象書類名】明細書
【補正対象項目名】００４１
【補正方法】変更
【補正の内容】
【００４１】
なお、引数の部分の漢字等についてはＵＲＬエンコード（エスケープシーケンス文字への変換）を行う。そのため、引数の部分は実際には以下のようになる。
【手続補正１１】
【補正対象書類名】明細書
【補正対象項目名】００４２
【補正方法】変更
【補正の内容】
【００４２】
%CC%BE%C1%B0_1%=%BB%B3%C5%C4%+%CC%BE%C1%B0_2%=%C2%C0%CF%BA%+%BD%BB%BD%EA%=%C5%EC%B5%FE%+%C5%C5%CF%C3%=0301234%+%BE%A6%C9%CA%A3%B1%=%A5%D1%A5%BD%A5%B3%A5%F3%+%C2%E6%BF%F4%=1%+%B2%C1%B3%CA%=200000
【手続補正１２】
【補正対象書類名】明細書
【補正対象項目名】００４４
【補正方法】変更
【補正の内容】
【００４４】
＜INPUT TYPE="submit"VALUE="送信!"＞
【手続補正１３】
【補正対象書類名】明細書
【補正対象項目名】００４８
【補正方法】変更
【補正の内容】
【００４８】
＜INPUT TYPE="text"....＞
【手続補正１４】
【補正対象書類名】明細書
【補正対象項目名】００４９
【補正方法】変更
【補正の内容】
【００４９】
で示されるそれぞれの部分に対応するテキストボックスに入力された内容をＷＷＷサーバの処理プログラム（ＣＧＩスクリプトなど）に送る。そして処理を終了する。
【手続補正１５】
【補正対象書類名】明細書
【補正対象項目名】符号の説明
【補正方法】変更
【補正の内容】
【符号の説明】
１０１  ＣＰＵ
１０２  ＲＯＭ
１０３  ＲＡＭ
１０４  通信データバッファ
１０５  画像読み取り部
１０６  プリンタ
１０７  操作パネル
１０８  表示部
１０９  キーボード
１１０  ＮＣＵ（網制御部）
１１１  モデム
１１２  ＴＣＰ／ＩＰプロトコル処理部
１１３  Ｔ．３０プロトコル処理部
１１４  ＷＷＷブラウジング処理部
１１５  ＵＲＬ入力処理部
１１６  ＨＴＭＬソースデータダウンロード部
１１７  ＨＴＭＬデータ解析部
１１８  リンク情報抽出部
１１９  記入フォーム入力処理部
１２０  イメージデータ表示制御部
１２１  Ｔ．４符号化復号化処理部
１２２  ポインティングデバイス
１２３  手書き入力処理部
１２４  ビットマップデータ合成制御部
２００  一般公衆回線網（ＰＳＴＮ）
３００  インターネット
４００  他装置
５００  相手装置